(57)【要約】【課題】魚を活かしたまま収納可能なコンパクトなバッグであって、且つ、魚釣りの際の場所移動も容易な、携帯性に優れる魚収納バッグを提供する。【解決手段】このバッグは、屈曲自在な素材からなる袋部１と、袋部１の開口側から伸びるロープ２と、上面１１に配置される浮き袋３とを有している。川中で釣りをする際に、釣人は、ロープ２を腰等に連結して浮き袋３に空気を入れて膨らませ、水中にこのバッグを浮かべて使用する。釣人が川中を移動すると、このバッグは水面に安定した状態で浮かびながら釣人と共に移動する。【選択図】　　　図１
2004016031.tif 000002
【特許請求の範囲】
【請求項１】
釣り上げた魚を収納するためのバッグであって、
上面，前記上面に対向する下面，前記上面及び下面を連結する両側面及び底面，前記底面に対向する側に位置する開口を有しており屈曲自在な素材から構成された前記何れかの面に水抜孔が形成されている袋部と、
前記袋部の開口を開閉自在に塞ぐ閉塞具と、
前記袋部の開口側から伸びるロープと、
前記袋部の上面の両側面から底面側にかけて貼り付けられており内部に空気を出し入れ自在な浮き袋と
を備えた魚収納バッグ。
【請求項２】
前記袋部の上面には魚入口と、前記魚入口を開閉自在に塞ぐ蓋とが設けられている、請求項１に記載の魚収納バッグ。
【請求項３】
前記袋部の上面及び下面の開口側縁にはロープ穴が複数形成され、前記ロープが前記ロープ穴を挿通することで前記開口が開閉自在に綴じられており、前記閉塞具を前記ロープが兼ねている、請求項１に記載の魚収納バッグ。
【発明の詳細な説明】
【０００１】
【発明の属する技術分野】
本発明は、魚を釣り上げた後に、この魚を収納しておくバッグに関する。詳しくは、このバッグは川中で流水を受け得るものであって、釣り上げた魚を活かしたまま、このバッグの中に活魚を収納しておくことができるバッグである。
【０００２】
【従来の技術】
渓流などでの魚釣り、例えば、鮎釣り等にあっては、釣り上げた魚を活かしたまま収納しておく魚収納バッグが用いられている。ある種の魚収納バッグは、ＥＶＡ等の屈曲自在な素材からなる袋部を有し、その袋部の開口は面ファスナなどによって閉塞可能となっている。また、袋部には水抜孔も形成されている。
【０００３】
このような魚収納バッグでは、運搬時には、釣人は魚収納バッグを小さく折り畳みコンパクトな状態に為し得る。魚釣りの際には、釣人は川底や川岸の石を適当に配置し、このバッグをその石の間に配置しておく。そして、釣人は魚を釣り上げるとバッグの袋部内に魚を収納する。このバッグは川の中で流水を受け、内部に収納した魚に新鮮な水を供給するので、魚を活かしたまま収納することができる。
【０００４】
【発明が解決しようとする課題】
しかし、このような従来の魚収納バッグは渓流で場所を移動しながら釣りを行うのに不便である。即ち、上述の魚収納バッグは、川底や川岸の一定の場所のバッグを配置しておくので、釣人が適当な釣り場を求めて場所を移動する際には、一々これを川から引き上げ、別の場所にバッグを配置する場所を確保しなければならない。また、魚を収納した後にバッグを水中から引き上げれば、魚を活かしておきにくい。
【０００５】
本発明の課題は、魚を活かしたまま収納可能なコンパクトなバッグであって、且つ、魚釣りの際の場所移動も容易な、携帯性に優れる魚収納バッグを提供することにある。
【０００６】
【課題を解決するための手段】
発明１のバッグは、釣り上げた魚を収納するためのバッグであって、上面，上面に対向する下面，上面及び下面を連結する両側面及び底面，底面に対向する側に位置する開口を有しており屈曲自在な素材からなり何れかの面に水抜孔が形成されている袋部と、袋部の開口を開閉自在に塞ぐ閉塞具と、袋部の開口側から伸びるロープと、袋部の上面の両側面から底面側にかけて貼り付けられており内部に空気を出し入れ自在な浮き袋とを備えている。
【０００７】
このバッグは、魚釣りに向かう運搬時においては、浮き袋の空気を抜いた状態で袋部を折り畳み小さくコンパクトな状態となる。釣り場に到着した後においては、以下のようにしてこのバッグが用いられる。まず、浮き袋に空気を吹き込みこれを膨らませる。袋部の開口側から伸びるロープを引き出し、そのロープの先端を釣人は自らの腰に連結する。そして、浮き袋が膨らんだ上面を水面側に、下面を水底側にして川中にこのバッグを浮かべる。
【０００８】
川中で釣人が場所を移動すると、釣人の腰に連結したロープによってこのバッグも釣人と共に川中で移動する。バッグは水中で流水を受け且つ浮き袋により安定した状態で水中に浮かんでいる。この状態でバッグの袋部には水が流れ込み水抜穴から出てゆく。このようにして、新鮮な水を常に袋部内に供給しながら釣人と共にバッグが水中を安定した状態で浮かびながら移動する。
【０００９】
発明２のバッグは、発明１のバッグであって、袋部の上面には魚入口と、魚入口を開閉自在に塞ぐ蓋とが設けられている。
このバッグでは、魚を釣り上げた釣人は、以下のようにして魚を容易にバッグ内に収納できる。釣人は腰に連結したロープをたぐり寄せてバッグを引き寄せる。そして、川中で上面を水面側にして安定した状態で浮かんでいるバッグの上面の蓋を開けて、魚入口から袋部内に魚を収納する。
【００１０】
発明３のバッグは、発明１のバッグであって、袋部の上面及び下面の開口側縁にはロープ穴が複数形成され、ロープがロープ穴を挿通することで開口が開閉自在に綴じられており、閉塞具をロープが兼ねている。
このバッグでは、釣人に連結するためのロープが開口を閉塞しており、別途、開口を塞ぐ部材を配置する必要がない。
【００１１】
【発明の実施の形態】
以下、本発明の一実施形態について図面を参照しつつ説明する。
本発明の第１実施形態を採用した魚収納バッグは、図１に示すように、袋部１と、ロープ２と、浮き袋３とを有している。
袋部１は、上面方向視で矩形型の形状をなす袋であり、例えば、ＥＶＡや織布等の屈曲自在な素材からなる。詳しくは、この袋部１は、上面１１，上面１１に対向する下面１２，上面１１及び下面１２を連結する両側面１３，底面１４の各面からなる。底面１４に対向する側は開口している。この袋部１の形成は周知の方法で足り、例えば、それぞれの面を形成する素材を縫合して袋状に形成すれば足りる。この袋部１の内部には魚を収納する為のスペースを確保する必要があり、例えば、底面１４側ほど両側面１３が幅広化して内部のスペースを大きく取り得るようにしてもよい。
【００１２】
また、この袋部１の上面１１の開口側には魚を内部に取り入れるための魚入口２０が形成されている。この魚入口２０にはこれを覆うように配置され袋部１の開口側に開くポケット２１と共にポケット２１を覆うポケットカバー２２が設けられる。ポケットカバー２２とポケット２１には相互係止の為のボタンなどを取り付けておく。なお、この袋部１には複数箇所に水抜孔が形成される。例えば、図１に示すように、上面１１及び下面１２に水抜孔１１ａを形成する。
【００１３】
さらに、この袋部１の開口側の縁部、具体的には、上面１１及び下面１２の開口側縁部には複数のロープ穴が形成されており、このロープ穴を順次ロープ２が挿通している。ロープ２の両端部は長く伸びており、必要に応じてその両端をまとめてフック等を連結してもよい。この両端を釣人が腰のベルトなどに連結する。
【００１４】
浮き袋３は、ビニル素材などからなる略Ｕ字型のチューブ状のものである。上面１１上に、その側面側から底面側にかけて配置され、接着剤等で袋部１に固定されている。浮き袋３には周知の空気出入口３ａが設けられている。この空気出入口３ａは周知のものであり、外部から内部への空気の侵入のみを可能とする一方向弁を有しており、この一方向弁は左右方向から押し込むことで解除し得るものである。
【００１５】
このような釣り用バッグは、魚釣りに向かう運搬時においては、浮き袋３の空気を抜いた状態で袋部１を折り畳み小さくコンパクトな状態となる。このようなコンパクトな状態で持ち運び可能である。
釣り場に到着した後においては、以下のようにしてこのバッグが用いる。まず、浮き袋３に空気出入口３ａから空気を吹き込み、浮き袋３を膨らませる。また、ロープ２を引き締めて袋部１の開口を綴じておく。必要に応じて、予め開口を開けた状態で内部に水を溜めておいてもよい。そして、この引き出したロープ２の先端を釣人は自らの腰に連結しておき、浮き袋３が膨らんだ上面１１を水面側に、下面１２を水底側にして川中にこのバッグを浮かべる。
【００１６】
川中で釣人が場所を移動すると、釣人の腰に連結したロープ３によってこのバッグも釣人と共に川中で移動する。バッグは水中で流水を受け且つ浮き袋３により上面１１を水面から出した状態で水中に安定して浮かんでいる。この状態でバッグの袋部には、ロープ２で綴じたに過ぎない開口から流れ込み水抜穴１１ａから出てゆく。このようにして、新鮮な水を常に袋部内に供給しながら釣人と共にバッグが水中を安定した状態で浮かびながら移動する（図３参照）。
【００１７】
このような状態で釣人は川中で魚釣りを行う。魚を釣り上げた釣人は、腰に連結したロープ２をたぐり寄せてバッグを引き寄せる。そして、バッグの上面１１のポケットカバー２２を開けて、ポケット２１内から魚入口２０を介して袋部１内に釣り上げた魚を取り入れることができる。
［他の実施形態］
（ａ）上記実施形態では、ロープ２によって袋部１の開口を綴じているが、別途、袋部１の開口に面ファスナなどを配置して、これによって開口を閉じ得るようにしてもよい。この場合、ロープ２は袋部１の何れかの場所に連結しておけば足りることになる。
（ｂ）上記実施形態では魚入口を設けているが、これを設けなくてもよい。この場合は、魚を釣り上げた際には、釣人はロープ２を引き寄せて袋部１の開口を開き、ここから魚を袋部１内に収納する。
【００１８】
【発明の効果】
本発明にかかる魚収納バッグによれば、魚を活かしたまま収納可能でき、コンパクトに収納することもできる。また、魚収納バッグを携帯したまま魚釣りの際の場所移動も容易になる。
【図面の簡単な説明】
【図１】本発明の一実施形態を採用した魚収納バッグの全体図。
【図２】図１のＩＩ−ＩＩ断面図。
【図３】図１の魚収納バッグの使用状態を示した参考図。
【符号の説明】
１　袋部
２　ロープ
３　浮き袋
２０　魚入口
２１　ポケット
２２　ポケットカバー
【図１】
2004016031.tif 000003
【図２】
2004016031.tif 000004
【図３】
2004016031.tif 000005